【手続補正書】
【提出日】平成26年6月24日(2014.6.24)
【手続補正１】
【補正対象書類名】明細書
【補正対象項目名】００１１
【補正方法】変更
【補正の内容】
【００１１】
上記課題を解決するためになされた本発明の第１態様は、複数の板状のデッキボードを並列に配置して形成された矩形状の載置面を有するデッキボードユニットと、該デッキボードユニットが搭載され床面に載置されるベースユニットとを備えた寸法可変パレットであって、前記デッキボードユニットは、複数の板状若しくは棒状のアームを複数の枢軸ピンにより回転可能に連結して構成され、前記デッキボードを前記枢軸ピンにより支持するリンク機構と、前記リンク機構の枢軸ピンを移動可能に支持する第１ジャッキ機構とを有し、前記ベースユニットは、前記デッキボードの短手方向における位置が固定された下部ベースと、前記複数のデッキボードのうち少なくとも両端に配置されたデッキボードを固定して支持するように前記下部ベースを中心として対配置され、前記下部ベースと相互にスライド自在に係合することによって前記下部ベースに対し前記デッキボードの短手方向に往復動作可能な支持部とを有し、前記第１ジャッキ機構が前記支持する枢軸ピンを移動させ、前記リンク機構の交差角を変えることにより、前記支持部は前記少なくとも両端に配置されたデッキボードと共に前記デッキボードの短手方向に沿って移動し、前記リンク機構に支持された各デッキボードは、その向きが揃えられた状態で、前記短手方向と平行に移動し、隣接する該デッキボード同士の間隔が変わって前記載置面の大きさの変更ができるようになっていることを特徴としている。
【手続補正２】
【補正対象書類名】明細書
【補正対象項目名】００１３
【補正方法】変更
【補正の内容】
【００１３】
また、このように本発明の第１態様では、第１ジャッキ機構（例えば、ネジ式ジャッキや油圧式ジャッキにより構成される）によりリンク機構の交差角を可変できるため、第１ジャッキ機構を操作することでリンク機構が支持しているデッキボードを移動させることができる。
すなわち、本発明によれば、第１ジャッキ機構によりデッキボード１０を移動させているため、「ミリ単位」でのデッキボードの移動が可能になり、載置面の大きさの設定を高精度に行うことができる。
【手続補正３】
【補正対象書類名】明細書
【補正対象項目名】００１４
【補正方法】変更
【補正の内容】
【００１４】
また、第１態様では、第１ジャッキ機構によりデッキボードを移動させているため、デッキボードを移動させるための労力が軽減される。
また、第１ジャッキ機構によりデッキボードを移動させているため、デッキボードの載置面に荷物を載置した状態のままで、第１ジャッキ機構を操作し載置面の大きさを微調整することができる（載置した荷物をどかさなくても、微調整ができるため、作業負担が軽減される）。
また、第１ジャッキ機構によれば、デッキボードの移動動作と固定動作を一緒に（同じ操作で）行うことができるため、上述した従来技術のような面倒なロック作業が不要になる。すなわち、第１ジャッキ機構を操作すれば、リンク機構に支持された各デッキボードを短手方向に移動させて所望の位置に固定することができる。
【手続補正４】
【補正対象書類名】明細書
【補正対象項目名】００１５
【補正方法】変更
【補正の内容】
【００１５】
また、上記課題を解決するためになされた本発明の第２態様は、複数の板状のデッキボードを並列に配置して形成された矩形状の載置面を有するデッキボードユニットと、該デッキボードユニットが搭載され床面に載置されるベースユニットとを備えた寸法可変パレットであって、前記デッキボードユニットは、複数の板状若しくは棒状のアームを複数の枢軸ピンにより回転可能に連結して構成され、前記デッキボードを前記枢軸ピンにより支持すると共に、該デッキボードの短手方向に伸縮するパンタグラフ機構と、前記パンタグラフ機構の枢軸ピンを移動可能に支持する第１ジャッキ機構とを有し、前記ベースユニットは、前記デッキボードの短手方向における位置が固定された下部ベースと、前記複数のデッキボードのうち少なくとも両端に配置されたデッキボードを固定して支持するように前記下部ベースを中心として対配置され、前記下部ベースと相互にスライド自在に係合することによって前記下部ベースに対し前記デッキボードの短手方向に往復動作可能な支持部とを有し、前記第１ジャッキ機構が前記支持する枢軸ピンを移動させ、前記パンタグラフ機構を伸縮させることにより、前記支持部は前記少なくとも両端に配置されたデッキボードと共に前記デッキボードの短手方向に沿って移動し、前記パンタグラフ機構に支持された各デッキボードは、その向きが揃えられた状態で、前記短手方向と平行に移動し、隣接する該デッキボード同士の間隔が変わって前記載置面の大きさの変更ができるようになっていることを特徴としている。
【手続補正５】
【補正対象書類名】明細書
【補正対象項目名】００１７
【補正方法】変更
【補正の内容】
【００１７】
また、このように、第２態様では、第１ジャッキ機構を採用しているため、上述した第１態様と同様、載置面の大きさの設定を高精度に行うことができる。また、デッキボードに荷物を載置した状態のままで載置面の大きさを微調整することができる。また、上述したように、デッキボードの移動動作と固定動作を一緒に行うことができるため、上述した従来技術のような面倒なロック作業が不要になる。
【手続補正６】
【補正対象書類名】明細書
【補正対象項目名】００２０
【補正方法】変更
【補正の内容】
【００２０】
また、前記ベースユニットは、前記寸法可変パレットの中央部に配置されたＸ字状の第２リンク部材と、該第２リンク部材の両端部にそれぞれ取り付けられた一対のベース部とを備え、前記第２リンク部材は、一対の板状若しくは棒状のアームをＸ字状に交差させその交差部を第３枢軸ピンで回転可能に連結させることにより構成され、前記第２リンク部材の交差部の角度を変えることにより、前記一対のベース部が該第２リンク部材を挟んで前記デッキボードの長手方向を往復移動できるようになっており、前記複数のデッキボードは、前記長手方向の途中で２分割され、該２分割された一方が前記一対のベース部の一方に取り付けられ、該２分割された他方が前記一対のベース部の他方に取り付けられ、前記第２リンク部材の交差部の角度を変えて前記一対のベース部を前記デッキボードの長手方向に移動させることにより、各デッキボードの短手側の両端部を揃えた状態で当該デッキボードを前記長手方向に移動させて前記載置面の大きさの変更ができるようになっていることが望ましい。
【手続補正７】
【補正対象書類名】明細書
【補正対象項目名】００２４
【補正方法】変更
【補正の内容】
【００２４】
このように本発明の第３態様によれば、第２ジャッキ機構（例えば、パンタグラフジャッキ）によりデッキボードを長手方向に移動させて載置面の大きさの変更ができるようになっているため、載置面の大きさの設定を高精度に行うことができると共に、載置面の調節作業の労力を軽減することができる。
また、前記ベースユニットは、床面に載置される複数の脚部を有し、前記複数の脚部の間に、該ベースユニットの側面からフォークリフトのフォーク爪を挿入可能な空間部が形成されていることが望ましい。
【手続補正８】
【補正対象書類名】特許請求の範囲
【補正対象項目名】全文
【補正方法】変更
【補正の内容】
【特許請求の範囲】
【請求項１】
複数の板状のデッキボードを並列に配置して形成された矩形状の載置面を有するデッキボードユニットと、該デッキボードユニットが搭載され床面に載置されるベースユニットとを備えた寸法可変パレットであって、
前記デッキボードユニットは、複数の板状若しくは棒状のアームを複数の枢軸ピンにより回転可能に連結して構成され、前記デッキボードを前記枢軸ピンにより支持するリンク機構と、前記リンク機構の枢軸ピンを移動可能に支持する第１ジャッキ機構とを有し、
前記ベースユニットは、前記デッキボードの短手方向における位置が固定された下部ベースと、前記複数のデッキボードのうち少なくとも両端に配置されたデッキボードを固定して支持するように前記下部ベースを中心として対配置され、前記下部ベースと相互にスライド自在に係合することによって前記下部ベースに対し前記デッキボードの短手方向に往復動作可能な支持部とを有し、
前記第１ジャッキ機構が前記支持する枢軸ピンを移動させ、前記リンク機構の交差角を変えることにより、前記支持部は前記少なくとも両端に配置されたデッキボードと共に前記デッキボードの短手方向に沿って移動し、
前記リンク機構に支持された各デッキボードは、その向きが揃えられた状態で、前記短手方向と平行に移動し、隣接する該デッキボード同士の間隔が変わって前記載置面の大きさの変更ができるようになっていることを特徴とする寸法可変パレット。
【請求項２】
複数の板状のデッキボードを並列に配置して形成された矩形状の載置面を有するデッキボードユニットと、該デッキボードユニットが搭載され床面に載置されるベースユニットとを備えた寸法可変パレットであって、
前記デッキボードユニットは、複数の板状若しくは棒状のアームを複数の枢軸ピンにより回転可能に連結して構成され、前記デッキボードを前記枢軸ピンにより支持すると共に、該デッキボードの短手方向に伸縮するパンタグラフ機構と、前記パンタグラフ機構の枢軸ピンを移動可能に支持する第１ジャッキ機構とを有し、
前記ベースユニットは、前記デッキボードの短手方向における位置が固定された下部ベースと、前記複数のデッキボードのうち少なくとも両端に配置されたデッキボードを固定して支持するように前記下部ベースを中心として対配置され、前記下部ベースと相互にスライド自在に係合することによって前記下部ベースに対し前記デッキボードの短手方向に往復動作可能な支持部とを有し、
前記第１ジャッキ機構が前記支持する枢軸ピンを移動させ、前記パンタグラフ機構を伸縮させることにより、前記支持部は前記少なくとも両端に配置されたデッキボードと共に前記デッキボードの短手方向に沿って移動し、
前記パンタグラフ機構に支持された各デッキボードは、その向きが揃えられた状態で、前記短手方向と平行に移動し、隣接する該デッキボード同士の間隔が変わって前記載置面の大きさの変更ができるようになっていることを特徴とする寸法可変パレット。
【請求項３】
前記ベースユニットは、前記寸法可変パレットの中央部に配置された第２ジャッキ機構と、前記第２ジャッキ機構の両側に取り付けられた一対のベース部とを備え、前記第２ジャッキ機構により、前記一対のベース部が前記第２ジャッキ機構を挟んで前記デッキボードの長手方向を往復移動できるようになっており、
前記複数のデッキボードは、前記長手方向の途中で２分割され、該２分割された一方が前記一対のベース部の一方に取り付けられ、該２分割された他方が前記一対のベース部の他方に取り付けられ、
前記第２ジャッキ機構により前記一対のベース部を前記デッキボードの長手方向に移動させることにより、前記複数のデッキボードの短手側の両端部を揃えた状態で当該デッキボードを前記長手方向に移動させて前記載置面の大きさの変更ができるようになっていることを特徴とする請求項１または請求項２のいずれかに記載の寸法可変パレット。
【請求項４】
前記ベースユニットは、前記寸法可変パレットの中央部に配置されたＸ字状の第２リンク部材と、該第２リンク部材の両端部にそれぞれ取り付けられた一対のベース部とを備え、
前記第２リンク部材は、一対の板状若しくは棒状のアームをＸ字状に交差させその交差部を第３枢軸ピンで回転可能に連結させることにより構成され、
前記第２リンク部材の交差部の角度を変えることにより、前記一対のベース部が該第２リンク部材を挟んで前記デッキボードの長手方向を往復移動できるようになっており、
前記複数のデッキボードは、前記長手方向の途中で２分割され、該２分割された一方が前記一対のベース部の一方に取り付けられ、該２分割された他方が前記一対のベース部の他方に取り付けられ、
前記第２リンク部材の交差部の角度を変えて前記一対のベース部を前記デッキボードの長手方向に移動させることにより、各デッキボードの短手側の両端部を揃えた状態で当該デッキボードを前記長手方向に移動させて前記載置面の大きさの変更ができるようになっていることを特徴とする請求項１または請求項２のいずれかに記載の寸法可変パレット。
【請求項５】
前記第２リンク部材を構成する一対のアームは、長板状の基部と、該基部の長尺側の端部から上方に向けて折れ曲がって延びる支持片を有し、
前記支持片が、前記ベースユニットの上に取り付けられる前記デッキボードの裏面を支持するようになされていることを特徴とする請求項４に記載の寸法可変パレット。
【請求項６】
複数の板状のデッキボードを並列に配置して形成された矩形状の載置面を有するデッキボードユニットと、該デッキボードユニットが搭載され床面に載置されるベースユニットとを備えた寸法可変パレットであって、
前記ベースユニットは、前記寸法可変パレットの中央部に配置された第２ジャッキ機構と、前記第２ジャッキ機構の両側に取り付けられた一対のベース部とを備え、前記第２ジャッキ機構により、前記一対のベース部が前記第２ジャッキ機構を挟んで前記デッキボードの長手方向を往復移動できるようになっており、
前記１対のベース部の上面に、前記デッキボードユニットが載架され、
前記デッキボードユニットを構成する複数のデッキボードは、いずれも、前記一対のベース部のうちいずれか一方であって且つ隣接して配置されたデッキボードと異なるベース部に固定され、
前記第２ジャッキ機構により前記一対のベース部を前記長手方向に移動させることにより、前記デッキボードを前記長手方向に移動させて前記載置面の大きさの変更ができるようになっていることを特徴とする寸法可変パレット。
【請求項７】
前記ベースユニットは、床面に載置される複数の脚部を有し、
前記複数の脚部の間に、該ベースユニットの側面からフォークリフトのフォーク爪を挿入可能な空間部が形成されていることを特徴とする請求項１乃至請求項６のいずれかに記載の寸法可変パレット。